(57)【特許請求の範囲】
【請求項１】
各種電気機器を収納して成る分電盤を壁面に取り付けた状態で被覆する防塵カバーであって、前記分電盤の包装用のカートンを用い、前記カートンの側面には露出用ミシン目と埋め込み用ミシン目とを入れると共に、粘着テープを取り付け、開梱したときに前記分電盤の露出型か埋め込み型かに合わせて前記カートンを前記露出用ミシン目または前記埋め込み用ミシン目のどちらかに沿って切り離し、前記カートンを取り外すことなく分電盤の扉体の開閉ができるように、前記分電盤に被せ前記粘着テープで仮固定することを特徴とする分電盤の防塵カバー。
【発明の詳細な説明】
【０００１】
【産業上の利用分野】
本発明は、各種電気機器を収納して成る分電盤を保護するために、分電盤を被覆する防塵カバーに関する。
【０００２】
【従来の技術】
従来技術では、分電盤において、シートで扉体を被覆し、埃等から扉体を保護していた。または、静電気防止樹脂を使用して分電盤を形成し、埃等が付かないようにしていた。
【０００３】
【発明が解決しようとする課題】
しかしながら、上記従来技術によれば、シートで保護する方法は、住宅用分電盤の扉体のみで用いられているものであり、それ以外の
分電盤を埃から保護することはできなかった。静電気防止樹脂を用いて分電盤を形成する場合でも、鋼板製の分電盤には適用されず、鋼板製の分電盤を埃等から保護することはできなかった。また、シートを用いる方法も、静電気防止樹脂を用いる方法も、埃が付くのを防止することはできても、傷に対する保護はできなかった。
【０００４】
【課題を解決するための手段】
そこで本発明は、分電盤を壁面に取り付けた状態で埃や傷から保護するカバーを提供することを目的とし、その構造は、分電盤の包装用のカートンを用い、カートンの側面には露出用ミシン目と埋め込み用ミシン目とを入れると共に、粘着テープを取り付け、開梱したときに分電盤の露出型か埋め込み型かに合わせてカートンを露出用ミシン目または埋め込み用ミシン目のどちらかに沿って切り離し、カートンを取り外すことなく分電盤の扉体の開閉ができるように、分電盤に被せて前記粘着テープで仮固定することである。
【０００５】
【発明の実施の形態】
本発明に係る分電盤の防塵カバーは、分電盤の保管時や輸送時には包装用として利用していたカートンを、分電盤を壁面に取り付けた状態で壁面から露出している部分に合わせて一部を切り取り、分電盤に被せて粘着テープで仮固定することで分電盤の表面を埃や傷から保護するものである。
【０００６】
【実施例】
本発明に係る分電盤の防塵カバーの実施例を図１〜図９の添付図面に基づいて説明する。
【０００７】
本発明に係る分電盤の防塵カバーは、図１に示すように、分電盤１の保管時や輸送時には包装用のカートン２として使用していたものを用いる。
【０００８】
分電盤は主に露出型と埋め込み型とがあり、壁面に露出する深さが異なるので、カートン２には、露出用ミシン目３と埋め込み用ミシン目４とを設ける。カートン２を分電盤の防塵カバーとして使うには、露出用ミシン目３、埋め込み用ミシン目４でカートン２の一部を切り離し、壁面に取り付けられている分電盤１の壁面から露出している部分に被せる。また、カートン２の内側にはカートン２を分電盤１に固定するための粘着テープを装着し、その粘着テープをカートン２の外側へ引き出すための開口用ミシン目５を設ける。
【０００９】
露出型分電盤を被覆するには、図２に示すように、カートン６の底面部７とカートン６のフラップ８とを切り離し、開口用ミシン目で切り取り、開口９も開ける。図３に示すように、壁面１０に露出して取り付けられた分電盤１１にカートン６を被せ、図４に示すように、カートン１２の内側に装着されている粘着テープ１３を開口１４からカートン１２の外側に引き出し、分電盤にカートン１２を仮固定する。
【００１０】
埋め込み型分電盤を被覆するには、図５に示すように、カートン１５の側面に設けられた埋め込み用ミシン目１６でカートン１５の側面の一部とフラップとを切り離し、粘着テープ用の開口１７も開ける。図６に示すように、壁面１８に埋め込んで取り付けられた分電盤１９に被せ、図４に示すように、カートン１２の内側に装着されている粘着テープ１３を開口１４からカートン１２の外側に引き出し、分電盤にカートン１２を仮固定する。
【００１１】
分電盤の扉体を被覆する部分は、カートンの開口部であり、その構造上開閉できるので、壁に取り付けられた分電盤を防塵カバーとしてカートンで被覆した後も、分電盤の扉体の開閉は可能である。
【００１２】
カートン内に緩衝材を入れたい場合は、図７に示すように、カートン２０の一部に切り起こし、緩衝部２１を設ける。
【００１３】
本発明に係る分電盤の防塵カバーは、上記形状、方法に限定されるものではなく、例えば、防塵カバーを分電盤に仮固定するのに、図８に示すように、磁石２２を台紙２３に貼り付け、台紙２３をカートンに取り付けて用いたり、図９に示すように、ひも又は、ゴム２４を用いても良く、この場合、カートン２５には、ひも又は、ゴム２４の留め具２６も備えておいたり、両面テープを使用したり、本発明の趣旨を逸脱しない範囲において適宜変更可能である。
【００１４】
【発明の効果】
分電盤の包装用のカートンを用い、カートンの側面には露出用ミシン目と埋め込み用ミシン目とを入れると共に、粘着テープを取り付け、開梱したときに分電盤の露出型か埋め込み型かに合わせてカートンを露出用ミシン目または埋め込み用ミシン目のどちらかに沿って切り離し、カートンを取り外すことなく分電盤の扉体の開閉ができるように、分電盤に被せて前記粘着テープで仮固定するため、分電盤を壁面に取り付けた後、現場で出る埃やそのほかの作業による傷から保護することができる。包装用のカートンは、通常段ボール等の厚みのあるものを用いることが多いので、分電盤に傷が付きにくく、使用後の回収やリサイクルも容易である。カートンに粘着テープを装着するだけであるので、経費も抑えることができる。カートンを防塵カバーとして分電盤に取り付けた後でも、いちいちカートンを取り外すことなく分電盤の扉体の開閉ができる。
【図面の簡単な説明】
【図１】本発明に係る分電盤の防塵カバーを示す斜視図である。
【図２】本発明に係る露出型分電盤の防塵カバーを示す斜視図である。
【図３】本発明に係る露出型分電盤の防塵カバーの取り付け例を示す斜視図である。
【図４】本発明に係る分電盤の防塵カバーの粘着テープの部分の斜視図である。
【図５】本発明に係る埋め込み型分電盤の防塵カバーを示す斜視図である。
【図６】本発明に係る埋め込み型分電盤の防塵カバーの取り付け例を示す斜視図である。
【図７】本発明に係る分電盤の防塵カバーの緩衝材部分の説明図である。
【図８】本発明に係る分電盤の防塵カバーの変形実施例を示す斜視図である。
【図９】本発明に係る分電盤の防塵カバーの変形実施例を示す説明図である。
【符号の説明】
１      分電盤
２      カートン
３      露出用ミシン目
４      埋め込み用ミシン目
５      開口用ミシン目
６      カートン
７      底面部
８      フラップ
９      開口
１０    壁面
１１    分電盤
１２    カートン
１３    粘着テープ
１４    開口
１５    カートン
１６    埋め込み用ミシン目
１７    開口
１８    壁面
１９    分電盤
２０    カートン
２１    緩衝部
２２    磁石
２３    台紙
２４    ひも又は、ゴム
２５    カートン
２６    留め具
【図１】
0004497490.tif 000002
【図２】
0004497490.tif 000003
【図３】
0004497490.tif 000004
【図４】
0004497490.tif 000005
【図５】
0004497490.tif 000006
【図６】
0004497490.tif 000007
【図７】
0004497490.tif 000008
【図８】
0004497490.tif 000009
【図９】
0004497490.tif 000010